(57)【特許請求の範囲】
【請求項１】
コンセントに挿入する短冊状の平板である２本の端子刃と、前記端子刃の１本と電気的に接続され、前記２本の端子刃の中心を通るコンセント面に垂直な中心線上を前記端子刃と逆方向に伸びる円筒状の第１電極と、前記端子刃の他の１本と電気的に接続され、前記第１電極と同心の円筒状の第２電極とを備える端子刃保持部と、
前記第１電極と嵌合するように回転自在で且つ電気的に接触して第１電極を環状に囲む円筒状の第３電極と、第２電極と嵌合するように回転自在で且つ電気的に接触して第２電極を環状に囲む円筒状の第４電極と、第３電極及び第４電極にそれぞれ電気的に接続され、前記コンセント面に垂直な平板で、前記中心線を中心に対称に向かい合うように配置された第５電極、第６電極を備える水平回転部と、
短冊状で、長手方向の一側がそれぞれ第５電極と第６電極に回転自在で、且つ、電気的に接続されるようはと目され、他側に電源コード接続部を設けた第７電極と第８電極と、コードの排出口と、を設けた垂直回転部と、を含んで構成され、
前記円筒状の第１電極の頂部には、円筒の中心軸と垂直な直径方向に突出した係止爪が設けられ、円筒状の第２電極の外周壁の頂部には、円筒の中心線と垂直な直径方向に突出した係止爪が設けられ、円筒状の第３電極及び第４電極の内壁面には係止溝が設けられ、それぞれ第１電極に設けた係止爪、及び第２電極に設けた係止爪を係止することを特徴とする回転自在多機能電源プラグ。
【請求項２】
端子刃保持部の端子刃突出面に通信線端子が設けられ、
前記通信線端子に接続され絶縁被覆された通信線は前記円筒形の第１電極の内部を通り前記水平回転部に達し、
第３電極と第５電極のはと目部又は第４電極と第６電極のはと目部を通って垂直回転部に達し、コード排出口を通って外部の機器に接続されることを特徴とする請求項１に記載の回転自在多機能電源プラグ。
【請求項３】
前記端子刃保持部の、前記水平回転部に接する面の外周部には、挿入するコンセントに設けた切欠きに嵌め合わされる突起部が設けられたことを特徴とする請求項１又は２に記載の回転自在多機能電源プラグ。
【請求項４】
前記垂直回転部は略Ｕ字型で内部に第７電極と第８電極とこれに接続される電源コードを収容する肉厚部と、前記Ｕ字に囲まれる肉薄部から構成されることを特徴とする請求項１乃至３のいずれかに記載の回転自在多機能電源プラグ。
【請求項５】
請求項１乃至４のいずれかに記載の回転自在多機能電源プラグを挿入する回転自在多機能電源コンセントであって、
電源プラグを挿入するプラグ挿入面に電源プラグの２本の端子刃を挿入する２個の端子刃挿入孔を設け、前記２個の端子刃挿入孔に接して設けられた２本の端子刃挿入溝と、
前記端子挿入溝の１本と電気的に接続され、前記プラグ挿入面に垂直な２個の端子刃挿入孔の中心線上を前記端子刃挿入溝と逆方向に伸びる円筒状の第１電極と、前記端子刃挿入溝の他の１本と電気的に接続され、前記第１電極の同心の円筒状の第２電極を備える端子刃挿入溝保持部と、
前記第１電極を嵌合するように回転自在で且つ電気的に接触して第１電極を環状に囲む円筒状の第３電極と、第２電極を嵌合するように回転自在で且つ電気的に接触して第２電極を環状に囲む円筒状の第４電極と、第３電極及び第４電極にそれぞれ電気的に接続され、前記プラグ挿入面に垂直な平板で、前記中心線を中心に対称に向かい合うように配置された第５電極、第６電極を備える水平回転部と、
短冊状で、長手方向の一側がそれぞれ第５電極と第６電極に回転自在で、且つ、電気的に接続されるようはと目され、他側に電源コード接続部を設けた第７電極と第８電極と、コードの排出口と、を設けた垂直回転部と、
を含んで構成されたことを特徴とする回転自在多機能電源コンセント。
【請求項６】
前記円筒状の第１電極の頂部には、円筒の中心軸と垂直な直径方向に突出した係止爪が設けられ、円筒状の第２電極の外周壁の頂部には、円筒の中心線と垂直な直径方向突出した係止爪が設けられ、円筒状の第３電極及び第４電極の内壁面には係止溝が設けられ、それぞれ第１電極に設けた係止爪、及び第２電極に設けた係止爪を係止することを特徴とする請求項５に記載の回転自在多機能電源コンセント。
【請求項７】
前記プラグ挿入部の電源プラグ挿入面には電源プラグの通信線端子に対応する位置に通信線端子が設けられ、前記通信線端子に接続され絶縁被覆された通信線は前記円筒形の第１電極の内部を通り前記水平回転部に達し、第３電極と第５電極のはと目部又は第４電極と第６電極のはと目部を通って垂直回転部に達し、コード排出口を通って外部の機器に接続されることを特徴とする請求項５又は６に記載の回転自在多機能電源コンセント。
【請求項８】
前記プラグ挿入部はプラグ挿入面の周囲に電源プラグの端子刃保持部の中心線方向の寸法に等しい高さに塵埃侵入防止壁を設け、その先端部に、挿入される電源プラグの突起部と噛み合う切欠き部が形成されていることを特徴とする請求項５乃至７のいずれかに記載の回転自在多機能電源コンセント。
【請求項９】
前記垂直回転部は略Ｕ字型で内部に第７電極と第８電極とこれに接続される電源コードを収容する肉厚部と、前記Ｕ字に囲まれる肉薄部から構成されることを特徴とする請求項５乃至８のいずれかに記載の回転自在多機能電源コンセント。
【請求項１０】
コードの一端に請求項１乃至４のいずれかに記載の回転自在多機能電源プラグを接続し、他端に請求項５乃至９のいずれかに記載の回転自在多機能電源コンセントを接続したことを特徴とする接続コード。
【発明の詳細な説明】
【技術分野】
【０００１】
本発明は、回転自在多機能電源プラグ及び電源コンセント並びにこれらを用いた接続コードに係り、詳細には商用電源用の端子刃の他に通信線端子を備え、且つ、電源プラグを電源コンセントに差し込んだまま、コンセントの差し込み面に垂直な線及び水平な線の廻りに、電源プラグ側でも電源コンセント側でも回転できる電源プラグと電源コンセントと、これらの電源プラグと電源コンセントを備えた接続コードに関する。
【背景技術】
【０００２】
建物の屋内の壁面、柱等には商用電源の電源コンセント（以下、壁コンセントと略す）が設けられている。
図１１はこのような壁コンセントに電源プラグを挿入する場合の問題点の説明図である。図１１（ａ）に示す壁コンセント８１に図１１（ｂ）に示す電源プラグ８２を挿入すると、図１１（ｃ）に示すように電源コード１１が、電源プラグ８２の後方に伸びるので、壁コンセント８１の周辺に電源プラグ８２と電源コード１１のスペースを確保する必要がある。このスペースは壁コンセント８１から５ｃｍ程度と僅かでよいが、壁コンセントが家具類の裏側に位置するような室内レイアウトを実施しようとすると、このスペースの確保は困難になる。
【０００３】
図１１（ｄ）はトラッキング防止用の電源アダプタ８４を介して、壁コンセント８１にプラグ８２を挿入した状態を示す。トラッキングは壁コンセント８１のプラグの端子刃挿入孔から塵埃が侵入し絶縁が劣化する現象であり、トラッキング防止用の電源アダプタ８４は、コンセントの電源プラグ挿入面を塵埃が侵入し難いように下向きにするものである。
壁コンセントが床面近くに設置されている場合には、電源コード１１が床面に当ってしまうため、トラッキング防止用の電源アダプタ８４を使用するのが困難な場合がある。
【０００４】
このような場合、電源プラグ８２が、壁コンセント面８５に垂直な軸８６及び平行な軸８７の回りにそれぞれ矢印８８、８９のように回転できれば、電源コード１１を任意の方向に向けることができ、上記の問題点は解決する。
図１２に示すように、特許文献１には、端子刃７を備える回転子９１が、カバー９２に対して壁コンセント面８５に平行な線８７を中心に矢印８９の方向に回転するプラグが開示されている。
【０００５】
また、図１３に示すように、特許文献２には、端子刃７を備える回転板９３が、タップ本体９４対して壁コンセント面に垂直な線８６を中心に矢印８８の方向回転するプラグが開示されている。
しかし、壁コンセント面８５に垂直な線８６及び平行な線８７の何れの軸に対しても回転できるものはない。
また、本出願人は特許文献３において、プラグにトラッキング防止機能と、商用電源以外の通信線の接続端子を備え、商用電源の接続と同時に通信線の接続ができる高機能プラグを提案した。しかし、このプラグには回転機能はない。
更に、電源接続コードのコンセントに回転機能を備えたものはない。
【特許文献１】特開平９−２２３５３７号公報
【特許文献２】特開２０００−２８６０２６号公報
【特許文献３】特願２００５−２９４６５号
【発明の開示】
【発明が解決しようとする課題】
【０００６】
本発明は上記従来技術の問題点を解決するためになされたもので、商用電源の接続に用いる端子刃と通信線の接続に用いる端子を備え、且つ、電源プラグを電源コンセントに差し込んだまま、コンセントの差し込み面に垂直な線及び水平な線の廻りに回転できる回転自在多機能電源プラグを提供することを目的とする。また、この回転自在多機能電源プラグを挿入する回転自在多機能電源コンセントを提供すること目的にする。また、一端に回転自在多機能電源プラグを接続し、他端に回転自在多機能電源コンセントを接続した接続コードを提供することを目的とする。
【課題を解決するための手段】
【０００７】
上記目的を達成するために、本発明に係る回転自在多機能電源プラグは、コンセントに挿入する短冊状の平板である２本の端子刃と、端子刃の１本と電気的に接続され、２本の端子刃の中心を通るコンセント面に垂直な中心線上を端子刃と逆方向に伸びる円筒状の第１電極と、端子刃の他の１本と電気的に接続され、第１電極と同心の円筒状の第２電極とを備える端子刃保持部と、第１電極と嵌合するように回転自在で且つ電気的に接触して第１電極を環状に囲む円筒状の第３電極と、第２電極と嵌合するように回転自在で且つ電気的に接触して第２電極を環状に囲む円筒状の第４電極と、第３電極及び第４電極にそれぞれ電気的に接続され、前記コンセント面に垂直な平板で、中心線を中心に対称に向かい合うように配置された第５電極、第６電極を備える水平回転部と、短冊状で、長手方向の一側がそれぞれ第５電極と第６電極に回転自在で、且つ、電気的に接続されるようはと目され、他側に電源コード接続部を設けた第７電極と第８電極と、コードの排出口と、を設けた垂直回転部と、を含んで構成され、且つ次の構成要件を備えている。
【０００８】
すなわち、前記円筒状の第１電極の頂部には、円筒の中心軸と垂直な直径方向に突出した係止爪が設けられ、円筒状の第２電極の壁面の頂部には、円筒の中心線と垂直な直径方向突出した係止爪が設けられ、円筒状の第３電極及び第４電極の内壁面には係止溝が設けられ、それぞれ第１電極に設けた係止爪、及び第２電極に設けた係止爪を係止する。
【０００９】
端子刃保持部の端子刃突出面に通信線端子が設けられ、通信線端子に接続され絶縁被覆された通信線は円筒形の第１電極の内部を通り水平回転部に達し、第３電極と第５電極のはと目部又は第４電極と第６電極のはと目部を通って垂直回転部に達し、コード排出口を通って外部の機器に接続される。
【００１０】
端子刃保持部の、水平回転部に接する面の外周部には、挿入するコンセントに設けた切欠きに嵌め合わされる突起部が設けられる。
また、垂直回転部は略Ｕ字型で内部に第７電極と第８電極とこれに接続される電源コードを収容する肉厚部と、Ｕ字に囲まれる肉薄部から構成される。
【００１１】
本発明に係る回転自在多機能電源コンセントは、上記回転自在多機能電源プラグを挿入する回転自在多機能電源コンセントであって、電源プラグを挿入するプラグ挿入面に電源プラグの２本の端子刃を挿入する２個の端子刃挿入孔を設け、２個の端子刃挿入孔に接して設けられた２本の端子刃挿入溝と、端子刃挿入溝の１本と電気的に接続され、プラグ挿入面に垂直な２本の端子刃挿入孔の中心線上を端子刃挿入溝と逆方向に伸びる円筒状の第１電極と、端子刃挿入溝の他の１本と電気的に接続され、第１電極と同一中心の円筒状の第２電極を備える端子刃挿入溝保持部と、第１電極を嵌合するように回転自在で且つ電気的に接触して第１電極を環状に囲む円筒状の第３電極と、第２電極を嵌合するように回転自在で且つ電気的に接触して第２電極を環状に囲む円筒状の第４電極と、第３電極及び第４電極にそれぞれ電気的に接続され、コンセント面に垂直な平板で、中心線を中心に対称に向かい合うように配置された第５電極、第６電極を備える水平回転部と、短冊状で、長手方向の一側がそれぞれ第５電極と第６電極に回転自在で、且つ、電気的に接続されるようはと目され、他側に電源コード接続部を設けた第７電極と第８電極と、コードの排出口と、を設けた垂直回転部と、を含んで構成されたことを特徴とする。
【００１２】
円筒状の第１電極の頂部には、円筒の中心軸と垂直な直径方向に突出した係止爪が設けられ、円筒状の第２電極の壁面の頂部には、円筒の中心線と垂直な直径方向突出した係止爪が設けられ、円筒状の第３電極及び第４電極の内壁面には係止溝が設けられ、それぞれ第１電極に設けた係止爪、及び第２電極に設けた係止爪を係止する。
【００１３】
また、プラグ挿入部の電源プラグ挿入面の電源プラグの通信線端子に対応する位置には通信線端子が設けられ、通信線端子に接続され絶縁被覆された通信線は円筒形の第１電極の内部を通り前記水平回転部に達し、第３電極と第５電極のはと目部又は第４電極と第６電極のはと目部を通って垂直回転部に達し、コード排出口を通って外部の機器に接続される。
【００１４】
プラグ挿入部はプラグ挿入面の周囲に電源プラグの端子刃保持部の中心線方向の寸法に等しい高さに塵埃侵入防止壁を設け、その先端部に、挿入される電源プラグの突起部と噛み合う切欠き部が形成されている。
【００１５】
また、垂直回転部は略Ｕ字型で内部に第７電極と第８電極とこれに接続される電源コードを収容する肉厚部と、Ｕ字に囲まれる肉薄部から構成される。
【００１６】
本発明に係る接続コードは、接続コードの一端に上記の回転自在多機能電源プラグを接続し、他端に回転自在多機能電源コンセントを接続したことを特徴とする。
【発明の効果】
【００１７】
本発明に係る回転自在多機能電源プラグ及び電源コンセントを用いると、極めて狭いスペースで電源コードの接続が可能となる。また、商用電源と通信線の接続が同時にでき、電源コード類が簡略化できる。
【発明を実施するための最良の形態】
【００１８】
以下、本発明の実施の形態について図を参照して説明する。
図１は、本発明に係る回転自在多機能電源プラグ（以下、プラグと略す）の回転自在機能の概略を説明する分解斜視図である。
図１に示すように、プラグ１は端子刃保持部２、水平回転部３、及び垂直回転部４の３つの部材から構成される。
端子刃保持部２はコンセント５の２個の端子刃挿入孔６に挿入される２個の端子刃７を備える。水平回転部３は２個の端子刃７の中心（２個の端子刃挿入孔６の中心でもある）を通り、コンセント面８に垂直な軸（垂直軸）９を中心に矢印１０の様に端子刃保持部２に対して水平に回転する。垂直回転部４は電源コード１１が接続され、コンセント面８に平行で垂直軸９と交わる軸（平行軸）１２を中心に矢印１３の様に水平回転部３に対して垂直に回転する。
電源コード１１がコンセント面８の上方のあらゆる方向に向くことを可能にするためには、矢印１０、１３の回転は、それぞれ１８０°で十分である。従って、後述するように回転機構は１８０°以上回転しないように構成することが好ましい。
【００１９】
図２は端子刃２から電源コード１１までの電流の通路と回転機構を説明する図で、（ａ）は回転機構の分解斜視図、（ｂ）は組立斜視図である。
まず、図１の端子刃保持部２に相当する部分の構成を説明する。
図２（ａ）に示すように、２個の端子刃７の１個（第１端子刃７−１）は、第１水平部１４を介して円筒状の第１電極１５に接続される。第１電極１５の頂部には第１係合爪１６が形成される。本実施例では、第１端子刃７−１と第１水平部１４はＬ字型に一体成形されているが、第１水平部１４の形状は、特に定めるものではなく、第１電極１５と一体に成形してもよい。第１電極１５の中心線はコンセント面８の垂直軸９に一致する。
第１電極１５は、円筒内の空洞部が第１水平部１４も貫通するようにする。それは、後述するように円筒内を通信線が貫通するからである。プラグ１が通信線を使用しない構成の場合には、第１電極１５は円筒状の必要はないので、円柱状に形成してもよい。
【００２０】
端子刃７の他の１個（第２端子刃７−２）は、第２水平部１７を介して円筒状の第２電極１８に接続される。第２電極１８の中心軸は、第１電極の中心軸と一致し、その内径は第１電極の外径より大きい。第２端子刃７−２と第２水平部１７はＬ字型に一体成形されているが、第２水平部１７の形状は、特に定めるものではなく、第２電極１８と一体に成形してもよい。
第２電極１８の外周壁の頂部には第２係合爪１９が形成される。
【００２１】
次に図１の水平回転部３に相当する部分の構成を説明する。
第１電極１５を外側から囲むように回転自在に嵌合するする円筒状の第３電極２０は、第１接続部２１を介して第５電極２２に接続される。
第３電極２０の内周面には第１係止溝２３が形成されており、組立状態では、第１電極１５の係止爪１６が第１係止溝２３に嵌め込まれる。
図３は第１電極１５と第３電極の組立てた状態を示す図で、（ａ）は平面図、（ｂ）は（ａ）のＡ−Ａ’断面図である。
図３に示すように、第１電極１５は第３電極２０に回転自在に嵌め込まれるが、第３電極２０第１電極係止溝２３に第１電極１５の係止爪１６が係止される。係止爪１６は、円筒状の第１電極の直径方向に突出し、組立時に、この第１電極１５を第３電極２０の下方から挿入し易いように、上方から下方に傾斜して弾力性を持つような形状に形成されており、第１電極と第３電極の組立て（即ち、端子刃保持部５と接続部９の組立て）が極めて容易になる。
【００２２】
第２電極１８を外側から囲むように回転自在に嵌合するする円筒状の第４電極２４は、第２接続部２５を介して第６電極２６に接続される。
第４電極２４の内周面には第２係止溝２７が形成されており、組立状態では、第２電極１８の係止爪１９が第１係止溝２７に嵌め込まれる。
図４は第２電極１８と第４電極２４の組立てた状態を示す図で、（ａ）は平面図、（ｂ）は（ａ）のＢ−Ｂ’断面図である。また、図４（ｃ）（ｄ）は（ｂ）のＣ−Ｃ’断面図で、ｃ）は第２電極１８の係止爪１９、（ｄ）は第４電極２４の係止溝２７のそれぞれ平面形状を示す。
図４に示すように、第４電極２４には第２電極係止溝２７が形成されており、第２電極１８の係止爪１９が係止される。係止爪１９は、円筒状の第２電極の直径方向に突出し、組立時に、この第２電極１８を第４電極２４の下方から挿入し易いように、上方から下方に傾斜して弾力性を持つような形状に形成されており、第２電極１８と第４電極２４の組立て（即ち、端子刃部５と接続部９の組立て）が極めて容易になる。この係止溝で係止爪を係止する構成は、先に説明した第１電極と第３電極の構成と同一である。
【００２３】
また、本実施例では、回転部３が１８０°以上回転するのを防ぐ機構を第２電極１８の第２電極係止爪１９と、第４電極２４の第４電極係止溝２７に設けている。
図４（ｃ）に示すように、第２電極１８の第２電極係止爪１９は円筒形の中心に対称な２箇所に部分的に設けられている。一方、図４（ｄ）に示すように、第４電極２４の第４電極係止溝２７は、第４電極２４のほぼ全周に形成されるが、円筒形の中心に対称な２箇所に第４電極係止溝２７の形成されない部分（回転阻止部２８）が設けられる。第４電極２４の回転は、第２電極係止溝２７の回転阻止部２８が第２電極係止爪１９に当って、制限される。
第２電極１８の第２電極係止爪１９及び第４電極２４の第４電極係止溝２７を、それぞれ全周に設け、回転制限機構は別途設けてもよい。
回転の制限は、後述するように、プラグに通信線の端子を設ける場合に通信線の捩れを制限するために必要である。従って、プラグに通信線の端子を設けない場合には、回転の制限は必要ない。
【００２４】
第３電極２０と第４電極２４の回転中心は、いずれも垂直軸９である。また、第４電極２４と第１接続部２１の接触を避けるため、第２電極２０は第４電極２４より上にある。
第５電極２２と第６電極２６は、いずれも長方形板状で、中央に「はと目」用の穴２９、３０があり、垂直軸９に対称に向かい合うように配置される。
【００２５】
最後に図１の垂直回転部４に相当する部分の構成を説明する。
垂直回転部４には２つの電極、第７電極３１と第８電極３２がある。いずれも板状で、本実施例のように折り曲げた形状でもよいし、平坦な短冊状でもよい。一端にそれぞれ第５電極２２、第６電極２６にはと目される孔３３、３４が形成され、他端には電源コードをねじ止めするねじ３５、３６が備えられている。
図５は第５電極２２と第７電極３１（及び、第６電極２６と第８電極３２）の結合状態を示す断面図である。
図５に示すように、第５電極２２と第７電極３１は、はと目部材３７で回転自在に「はと目」される。第５電極２２と第７電極３１がはと目される理由は、後述するように通信線をはと目の孔を貫通させる構成が必要であるからである。通信線の配線をする必要がない場合は、リベットを用いてもよい。
なお、回転を１８０°以下に制限するために第５電極２２、第６電極２６は、第７電極３１、第８電極３２の回転を阻止できように水平方向の長さを確保する。回転制限機構は、多くの技術があり、本構成に限定する必要はない。
電源コード１１は、ねじ３５、３６で第７電極３１、第８電極３２に接続される。
【００２６】
図２（ｂ）に示すように、端子刃保持部２に商用電力線以外の通信線、例えば通信ネットワーク（ＬＡＮ）の回線やテレビのアンテナ線等の端子を設ける場合には、通信線端子３９は端子刃保持部の下面（端子刃が端子刃保持部から突出する面）に設けられるが、この通信線端子３９から電源コード１１までの通信線４０の配線は、円筒形の第１電極１５の内部からはと目部４１を通るように行われる。このように通信線４０を回転の中心を通すことと、水平回転部３と、垂直回転部４の回転をそれぞれ１８０°に制限することにより、回転に伴う通信線４０の捩れを制限することができる。
【００２７】
回転自在高機能電源コンセント（以下、コンセントと略す）は、図２（ａ）（ｂ）に示したプラグ１の端子刃７を端子刃挿入溝に置き換えることにより、容易に実現できる。
図６は、コンセントの端子刃挿入溝４２の斜視図で、プラグ１の第１端子刃７−１に対応する。図２（ａ）のプラグ１の端子刃７を端子刃挿入溝４２に置き換えれば、そのままコンセントとすることができ、説明は省略する。
【００２８】
図７は、プラグの組立図で、（ａ）は正面図、（ｂ）は側面図、（ｃ）は底面図、（ｄ）は（ａ）のＤ−Ｄ’断面図である。
図７に示すように、端子刃保持部２に、第１端子刃７−１、第１水平部１４、第１電極１５、第２端子刃７−２、第２水平部１７、第２電極１８、が備えられる。通信線端子３９を設ける場合には、端子刃保持部２の下面に設けられる。図７（ｃ）に示すように、通信線端子は、端子刃保持部２の下面の周辺部に配置される。配置される個数や位置は本実施例に限定されるものではない。通信線端子３９からの配線４０は円筒状の第１電極１５の内部を通り、接続部に入り、はと目部４１を通り垂直回転部４に入る。
端子刃保持部５の高さＨは約１２ｍｍで、この高さＨはトラッキング防止用の電源アダプタの防塵枠の高さより、１〜２ｍｍ高くしている。これは、プラグをトラッキング防止用の電源アダプタに接続した場合にも、接続部の回転が防塵枠に妨げられないようにするためである。また、端子刃保持部２の上面周囲には突起４３が形成されており、トラッキング防止用の電源アダプタに接続した場合は、その周囲に設けた切欠きに係合して、防塵を完全にする。
【００２９】
接続部に、第３電極２０、第１接続部２１、第５電極２２、第４電極２４、第２接続部２５、第６電極２６が備えられる。
垂直回転部４は、第７電極３１、第８電極３２が備えられる。電源コード１１は第７電極と第８電極にねじ３５，３６で固定される。第７電極３１、第８電極３２の形状は、図２（ａ）に示したものと異なるものを使用しているが、実質的な機能は何ら変わることはない。
【００３０】
具体的にプラグを組み立てる手順は、以下の通りである。端子刃保持部２、水平回転部３、及び、垂直回転部４はそれぞれ個別に作製される。
水平回転部３は、第５電極２２及び第６電極２６にそれぞれ第７電極３１及び第８電極３２がはと目された状態で作製される。
垂直回転部４は図７（ｂ）のＥ−Ｅ’断面で２分割されて作製されており、それぞれに第７電極３３及び第８電極３４を収納する電極収納溝が形成されている。
まず、接続部と一体成形された第７電極３３と第８電極３４を２分割されて作製されたコード接続部の電極収納溝で挟み、固定する。これにより、水平回転部３と垂直回転部４が接続される。
次に、端子刃保持部の第１電極１５及び第２電極１８を接続部の第３電極２０及び第４電極２４に挿入すると、係止爪が係止溝に係止され、接続部と端子刃部が接続されて組立てが完了する。
通信線端子を設ける場合には、通信線の配線は適宜の長さのものを接続部に備えておき、コード接続部内に通信線接続端子４４を設けてコードの通信線と接続し、他端は端子刃保持部２との接合時に第１電極１５を通して、端子面まで引きだしておき、組立後に通信線端子３９に接続する。
【００３１】
図７（ａ）に示すように、垂直回転部４で電源コード１１は周辺部にＵ字型に配置されコードの排出口３８からプラグ外に出る。このＵ字型の部分は内部に電源コードを内蔵しているので肉厚部となり、Ｕ字型の内側は内部にプラグを構成する部材が配置されないので半円形の領域（肉薄部）を設けることができる。これが、図７（ｄ）に示す窪み（肉薄部）４５である。このような窪みを設けることにより、プラグの差込み、抜き取りの際にプラグに力が入れ易くなる。
【００３２】
図８は、コンセントの組立図で、（ａ）は正面図、（ｂ）側面図、（ｃ）は底面図である。
本実施例では図７に示したプラグに対応した、トラッキング防止機能を備えたコンセントを示しており、端子刃挿入溝保持部５１の周囲には防塵枠５２が設けられており、防塵枠５２の先端部には切欠き５３が形成される。防塵枠５２の高さｈはプラグ１の端子刃保持部２の高さＨにほぼ等しく約１０ｍｍである。
このコンセントに図７に示したプラグを差込むと、プラグの突起４３がコンセントの切欠き５３に結合して、防塵効果が発揮される。
プラグ１を挿入するプラグ挿入面５５に端子刃挿入孔６が設けられ、その背後に端子刃挿入溝４２が配置される。
その他の構成は、図７に示したプラグの端子刃保持部２を端子刃挿入溝保持部４２に置き換えれば、そのままコンセントとすることができ、説明は省略する。なお、通信線端子５４を設ける場合には、端子刃挿入孔６と同一面で、プラグの通信線端子３９に対応する位置に設けられる。
一端に図７に示したプラグ、他端に図８に示したコンセントを接続した接続コードは、多機能の接続コードとして有用に機能する。この接続コードに通信回線が設けられる場合には、プラグとコンセントの対応する通信線端子が通信回線で接続される。
【００３３】
図９は、図７のプラグと組合せて使用する電源アダプタを示す斜視図で、（ａ）は正面斜め上から見た斜視図（ｂ）は斜め下から底面を見た斜視図である。
図９に示すように、本電源アダプタは建物の壁面等に設けられれたコンセントに差込み、コンセント面を下方に向けることにより、コンセントから侵入する塵埃を減らし、トラッキング防止効果を奏する構造であり、かつ、１００Ｖ商用電源を入力して低電圧の直流に変換し、通信線端子に出力するＡＣアダプターを内蔵する。
本実施例では、アダプタ６１はその正面上部に設けられたプラグ部６２と、その底面に設けられたコンセント部６３を備える。
プラグ部６２には、一対の端子刃７が備えられている。通信線端子６９を設ける場合にはプラグ部６２の周囲に配置される。
【００３４】
一方、コンセント部６３にはプラグの端子刃７を挿入できるようにプラグ挿入孔６４が設けられ、その周囲には通信線端子６８が配置される。プラグ部６２には、一対の端子刃７が備えられている。通信線端子６９を設ける場合にはプラグ部６２の通信線端子６９とコンセント部６３の通信線端子６８は、いずれもプラグ１の通信線端子３９と同一の配置であり、通信線端子６９と通信線端子６８の同じ位置に対応する通信線端子が電気的に接続されている。
防塵壁６５が設けられている。また、防塵壁の高さは本実施例では１０ｍｍである。
【００３５】
ＡＣアダプタ６６は、プラグ部６２の後方にそなえられる。
図１０はＡＣアダプタの回路の一例である。
図１０は一般的なスイッチングレギュレータの回路であり、絶縁トランス７１より商用電源ＡＣ１００Ｖ側の１次側回路は、フィルタ回路７２、整流平滑回路７３、起動回路７４、スイッチング素子７５、スナバー回路７６、及び制御回路７７から構成される。絶縁トランス７１よりＤＣ出力側の２次側は、２次側整流回路７８、電圧検出回路７９から構成される。ＤＣ出力電圧は、電圧検出回路で検出され、所定の電圧との誤差電圧がフォトカプラ８０を介して制御回路７７にフィードバックされ、所定の電圧が得られるように制御される。直流電源はコンセント部６３のプラグ挿入孔６４の背後にある端子刃挿入溝（図示せず）に出力される。直流電源はコンセント部６３の通信線端子６８の２個を直流電源端子として、そこに出力してもよい。
必要なＤＣ出力電圧は使用する機器によって異なるので、可変であることが好ましい。
【図面の簡単な説明】
【００３６】
【図１】本発明に係る回転自在多機能電源プラグの回転機能を示す分解斜視図である。
【図２】（ａ）本発明に係る回転自在多機能電源プラグの回転機構を示す分解斜視図でありり、（ｂ）は（ａ）組立斜視図である。
【図３】（ａ）第１電極と第３電極の組立図でであり、（ｂ）は（ａ）のＡ−Ａ’断面図である。
【図４】（ａ）第２電極１８と第４電極２４の組立図である。（ｂ）図４（ａ）のＢ−Ｂ’断面図である。（ｃ）図４（ｂ）のＣ−Ｃ’断面図で、第２電極１８の係止爪１９を示す。（ｄ）図４（ｂ）のＣ−Ｃ’断面図で、第４電極２４の係止溝２７を示す。
【図５】第５電極と第７電極の結合状態を示す断面図である。
【図６】コンセントの端子刃挿入溝の斜視図である。
【図７】回転自在多機能電源プラグの正面図である。（ｂ）回転自在多機能電源プラグの側面図である。（ｃ）回転自在多機能電源プラグの底面図である。（ｄ）図７（ａ）のＤ−Ｄ’断面図である。
【図８】回転自在多機能電源コンセントの正面図である。（ｂ）回転自在多機能電源コンセントの側面図である。（ｃ）回転自在多機能電源コンセントの底面図である。
【図９】（ａ）電源アダプタを正面斜め上から見た斜視図である。（ｂ）電源アダプタを斜め下から底面を見た斜視図である。
【図１０】電源アダプタに内蔵するＡＣアダプタの回路図である。
【図１１】（ａ）壁コンセントの斜視図である。（ｂ）プラグを示す斜視図である。（ｃ）壁コンセントにプラグを挿入した状態示す斜視図である。（ｄ）トラッキング防止用の電源アダプタを示す斜視図である。
【図１２】従来技術のプラグを示す斜視図である。
【図１３】従来技術のプラグを示す斜視図である。
【符号の説明】
【００３７】
１      回転自在多機能電源プラグ（プラグ）
２      端子刃保持部
３      水平回転部
４      垂直回転部
６      端子刃挿入孔
７      端子刃
７−１  第１端子刃
７−２  第２端子刃
１１    電源コード
１５    第１電極
１８    第２電極
２０    第３電極
２２    第５電極
２４    第４電極
２６    第６電極
３１    第７電極
３２    第８電極
【図１】
0004686787.tif 000002
【図２】
0004686787.tif 000003
【図３】
0004686787.tif 000004
【図４】
0004686787.tif 000005
【図５】
0004686787.tif 000006
【図６】
0004686787.tif 000007
【図７】
0004686787.tif 000008
【図８】
0004686787.tif 000009
【図９】
0004686787.tif 000010
【図１０】
0004686787.tif 000011
【図１１】
0004686787.tif 000012
【図１２】
0004686787.tif 000013
【図１３】
0004686787.tif 000014